(57)【要約】【課題】作業者への負担を軽減できるとともに、高所作業中の安全性を向上させることが可能な安全帯を提供することを目的とする。【解決手段】胴ベルト２にリング３が取り付けられており、このリング３に、先端に第１フック４ａが取り付けられた主ロープ４が連結されてなる安全帯１である。主ロープ４には、この主ロープ４の長さ方向の所定の位置にストッパー部材５が取り付けられるとともに、このストッパー部材５とリング３との間に、先端に第２フック６ａが取り付けられた補助ロープ６が連結されており、この補助ロープ６は、主ロープ４の長さよりも短く形成されている。これにより、安全帯自体の軽量化を図ることもできるとともに、主ロープに対して絡みにくくなる。しかも、補助ロープは、ストッパー部材よりも先に移動することがなくなるので、リングから第２フックまでの距離を短くできる。【選択図】図１
2009142425.tif 000002
【特許請求の範囲】
【請求項１】
作業者の胴部に巻き付けられる胴ベルトに、ロープ連結用のリングが取り付けられており、このリングに、先端に第１フックが取り付けられた主ロープが連結されてなる安全帯であって、
前記主ロープには、この主ロープの長さ方向の所定の位置にストッパー部材が取り付けられるとともに、このストッパー部材と前記リングとの間に、先端に第２フックが取り付けられた補助ロープが連結されており、
この補助ロープは、前記主ロープの長さよりも短く形成されていることを特徴とする安全帯。
【請求項２】
前記補助ロープは、前記リングおよびストッパー部材間の範囲で、前記主ロープに沿って摺動自在となっていることを特徴とする請求項１に記載の安全帯。
【請求項３】
前記ストッパー部材は、前記主ロープに外挿されて、この主ロープを把持する筒状のスリーブ部と、このスリーブ部の端部周縁に沿って一体的に設けられるフランジ部とを備えており、
前記スリーブ部の内周面には、この内周面の周方向に沿って突条部が形成されていることを特徴とする請求項１または２に記載の安全帯。
【請求項４】
前記スリーブ部は、このスリーブ部を前記主ロープの長さ方向に沿うようにして２分割してなる一対の半割体からなり、前記フランジ部は、このフランジ部を前記主ロープの長さ方向に沿うようにして２分割してなる一対の半割体からなることを特徴とする請求項３に記載の安全帯。
【発明の詳細な説明】
【技術分野】
【０００１】
本発明は、高所作業者の転落を防止する安全帯に関する。
【背景技術】
【０００２】
高所で作業を行なう場合、作業者の胴部に高所作業用の安全帯を巻き付け、その安全帯に接続されたロープの先端の安全装置付きのフックを高所作業位置に水平に張設された親網や足場枠の横パイプ等に係合して、作業者が万一足を踏み外した場合でもロープで受け止めて、作業者の安全性を確保することが行なわれている。（例えば、特許文献１参照）。
【特許文献１】特開２００１−２５９０６５号公報
【発明の開示】
【発明が解決しようとする課題】
【０００３】
ところで、作業者が作業位置を変更する場合、フックの掛け替えを行わなければならない場合が生じるが、フックの掛け替えを行う際は、フックが親網や横パイプ等に対して非連結状態となるため、好ましくない。これを防ぐために、安全帯に２本の略等しい長さのフック付きロープを取り付けたり、２つの安全帯を同時に装着したりする、所謂「２丁掛け」の形態が慣行されている場合がある。
しかしながら、このような２丁掛けの形態では、重量が増すだけでなく、長いフック付きロープどうしが互いに絡み合う等、高所作業中の作業者への負担が高くなってしまう場合がある。
【０００４】
また、２本のフック付きロープの長さが双方ともに長い場合、例えばフックを掛ける位置が作業者の身体に対して低い位置にあると、作業者が万一足を踏み外した際に、どちらのフック付きロープを使用していても、落下距離が長くなってしまう。
そして、このように落下距離が長いと、転落を免れたとしても、作業者の身体に加わる衝撃が大きくなってしまう場合があり、好ましくない。
【０００５】
本発明の課題は、作業者への負担を軽減できるとともに、高所作業中の安全性を向上させることが可能な安全帯を提供することを目的とする。
【課題を解決するための手段】
【０００６】
請求項１に記載の発明は、作業者の胴部に巻き付けられる胴ベルトに、ロープ連結用のリングが取り付けられており、このリングに、先端に第１フックが取り付けられた主ロープが連結されてなる安全帯であって、前記主ロープには、この主ロープの長さ方向の所定の位置にストッパー部材が取り付けられるとともに、このストッパー部材と前記リングとの間に、先端に第２フックが取り付けられた補助ロープが連結されており、この補助ロープは、前記主ロープの長さよりも短く形成されていることを特徴とする。
【０００７】
請求項２に記載の発明は、請求項１に記載の安全帯において、前記補助ロープは、前記リングおよびストッパー部材間の範囲で、前記主ロープに沿って摺動自在となっていることを特徴とする。
【０００８】
請求項３に記載の発明は、請求項１または２に記載の安全帯において、前記ストッパー部材は、前記主ロープに外挿されて、この主ロープを把持する筒状のスリーブ部と、このスリーブ部の端部周縁に沿って一体的に設けられるフランジ部とを備えており、前記スリーブ部の内周面には、この内周面の周方向に沿って突条部が形成されていることを特徴とする。
【０００９】
請求項４に記載の発明は、請求項３に記載の安全帯において、前記スリーブ部は、このスリーブ部を前記主ロープの長さ方向に沿うようにして２分割してなる一対の半割体からなり、前記フランジ部は、このフランジ部を前記主ロープの長さ方向に沿うようにして２分割してなる一対の半割体からなることを特徴とする。
【発明の効果】
【００１０】
本発明によれば、補助ロープは、主ロープの長さよりも短く形成されているので、例えばこれら主ロープおよび補助ロープが双方ともに長い場合に比して、安全帯自体の軽量化を図ることもできるとともに、主ロープに対して絡みにくくなり、高所作業中の作業者への負担を軽減することができる。
しかも、主ロープの長さ方向の所定の位置にストッパー部材が取り付けられていることから、この補助ロープは、このストッパー部材よりも先に移動することがなくなるので、リングから第２フックまでの距離を短くすることができる。これによって、この補助ロープの第２フックを親綱や横パイプ等に引っ掛けておくことによって、作業者が万一足を踏み外した際の落下距離も短くすることができるので、作業者の体に加わる衝撃をより小さくでき、高所作業中の安全性を向上させることが可能となる。
【発明を実施するための最良の形態】
【００１１】
以下、図面を参照して本発明の実施の形態について説明する。
【００１２】
本実施の形態の安全帯１は、図１に示すように、作業者の胴部に巻き付けられる胴ベルト２に、ロープ連結用のリング３が取り付けられており、このリング３に、先端に第１フック４ａが取り付けられた主ロープ４が連結されてなるものであり、前記主ロープ４には、この主ロープ４の長さ方向の所定の位置にストッパー部材５が取り付けられるとともに、このストッパー部材５と前記リング３との間に、先端に第２フック６ａが取り付けられた補助ロープ６が連結されており、この補助ロープ６は、前記主ロープ４の長さよりも短く形成されている。
【００１３】
前記胴ベルト２は、一端にバックル２ａが設けられており、このバックル２ａに胴ベルト２の他端を通すことで、作業者の胴部に確実に胴ベルト２を巻き付けできるようになっている。
【００１４】
また、この胴ベルト２には、上述のようにロープ連結用のリング３が取り付けられており、さらに、このリング３の下方にフック収納袋８が設けられている。このフック収納袋８はリング３の下方に位置しているので、前記主ロープ４や補助ロープ６を纏めて収納しやすい。
【００１５】
前記主ロープ４は、前記リング３および第１フック４ａに対して強固に連結しており、作業者の体重以上の荷重であっても確実に耐え得ることができる。
また、本実施の形態の主ロープ４の長さは、例えば１５００ｍｍ程度であるが、これに限るものではなく、作業者の作業を効率良く行うことができる範囲の長さであればよい。
【００１６】
前記ストッパー部材５は、前記主ロープ４の長さ方向の所定の位置に取り付けられている。本実施の形態においては、例えば前記リング３から６００ｍｍ程度離れた位置に取り付けられているが、これに限るものではない。
すなわち、このストッパー部材５の位置によって、前記補助ロープ６の摺動範囲を変更することができるようになっている。補助ロープ６の摺動範囲を変更できることによって、作業者の作業範囲を現場に応じて変更調整することができるので、好ましい。
【００１７】
ここで、前記ストッパー部材５は、図２に示すように、前記主ロープ４に外挿されて、この主ロープ４を把持する筒状のスリーブ部５０と、このスリーブ部５０の端部周縁に沿って設けられるフランジ部５１とを備えており、前記スリーブ部５０の内周面には、この内周面の周方向に沿って突条部５０ｂが形成されている。
これによって、前記スリーブ部５０によって前記主ロープ４を把持する際の摩擦を高めることができるので、前記ストッパー部材５に対して前記主ロープ４の長さ方向に沿って衝撃や荷重がかかった場合でも、このストッパー部材５がずれにくい。また、前記フランジ部５１によって、前記補助ロープ６の摺動動作を規制することができる。
【００１８】
なお、本実施の形態の突条部５０ａは、前記スリーブ部５０の内周面に複数形成されており、この突条部５０ｂによる摩擦力をより高めることができるようになっている。
【００１９】
また、前記スリーブ部５０は、このスリーブ部５０を前記主ロープ４の長さ方向に沿うようにして２分割してなる一対の半割体５０ａ，５０ａからなり、前記フランジ部５１は、このフランジ部５１を前記主ロープ４の長さ方向に沿うようにして２分割してなる一対の半割体５１ａ，５１ａからなる。すなわち、前記ストッパー部材５は、一対の半割体からなり、これら一対の半割体どうしを連結してなることとなる。
したがって、前記主ロープ４上において、このストッパー部材５の取付位置を変更する際は、一旦、これらスリーブ部５０およびフランジ部５１の半割体５０ａ，５０ａ、５１ａ，５１ａの連結状態を解除してから取り付けなおすだけで、前記ストッパー部材５を、所望する位置に対して容易に取り付けることができる。
【００２０】
なお、本実施の形態のスリーブ部５０は円筒状に形成されており、このスリーブ部５０を構成する一対の半割体５０ａ，５０ａは、平面視半円状となる半円筒状に形成されている。さらに、本実施の形態のフランジ部５１は輪形に形成されており、このフランジ部５１を構成する一対の半割体５１ａ，５１ａは、平面視半円状となる半輪形状に形成されている。
また、前記スリーブ部５０の半割体５０ａ，５０ａに対して、前記フランジ部５１の半割体５１ａ，５１ａを、周方向にずらして設けるようにしてもよい。
【００２１】
また、前記スリーブ部５０の一対の半割体５０ａ，５０ａの周方向両端部には、矩形板状の連結板部５２が一体的に設けられている。これら連結板部５２には、ビス孔５２ａが複数形成されている。
したがって、前記ストッパー部材５の一対の半割体どうしを連結する際は、これら一対の半割体どうしを向き合わせて密着させた後に、前記ビス孔５２ａにビス５３をねじ込んでビス止めすることによって行われる。
なお、このビス５３に代わり、ボルト・ナット等の締結部材などを用いるようにしてもよい。
【００２２】
一方、前記補助ロープ６は、前記主ロープ４および第２フック６ａに対して強固に連結しており、作業者の体重以上の荷重であっても確実に耐え得ることができる。
【００２３】
また、この補助ロープ６の長さは、上述のように、前記主ロープ４の長さよりも短く形成されている。さらには、この補助ロープ６の長さは、図１に示すように、前記主ロープ４の前記ストッパー部材５から第１フック４ａまでの距離よりも短くなるように形成されている。
つまり、例えばこの補助ロープ６の長さが前記ストッパー部材５から第１フック４ａまでの距離よりも長かった場合において、この補助ロープ６がストッパー部材５の位置まで摺動すると、この補助ロープ６の先端は、前記主ロープ４の先端よりも先まで延出することとなる。
【００２４】
そして、このように補助ロープ６の先端が、前記主ロープ４の先端よりも先まで延出すると、作業者が万一足を踏み外した際に、作業者の身体に加わる衝撃が大きくなる場合がある。
したがって、前記補助ロープ６の長さが、前記主ロープ４の前記ストッパー部材５から第１フック４ａまでの距離よりも短くなるように形成されていれば、作業者が万一足を踏み外した際に、その落下距離を短くすることができるので、作業者の体に加わる衝撃をより小さくできる。
その上、この補助ロープ６の長さが短くてすむので、安全帯１自体の軽量化を図ることもできるとともに、前記主ロープ４に対して絡みにくくなる。
【００２５】
また、この補助ロープ６の基端部は環状に形成された環状部６ｂとなっており、この環状部６ｂは、図１に示すように、摺動金具７を介して前記主ロープ４に連結されている。
この摺動金具７は、前記環状部６ｂに外挿される第１孔部７ａと、前記主ロープ４に外挿される第２孔部７ｂとを備えている。
そして、この第２孔部７ｂは、前記ストッパー部材５のフランジ部５１よりも小径となるように形成されており、前記ストッパー部材５を越えないように設定されている。すなわち、前記補助ロープ６が、前記ストッパー部材５を乗り越えないように設定されることとなる。
なお、前記摺動金具７は、例えば金属製の板状体であり、前記第１孔部７ａと前記第２孔部７ｂとの間に位置する部分をくびれさせるようにして形成されている。これによって、部材重量を低減させることができ、好ましい。
【００２６】
そして、この補助ロープ６は、上述のように前記リング３およびストッパー部材５間の範囲で、前記主ロープ４に沿って摺動自在となっていることから、例えば前記第２フック６ａを親綱や横パイプ等に引っ掛けたまま作業を行った際に、作業者は、前記補助フック６自体の長さ分の行動範囲内で作業できるだけでなく、この補助フック６が、前記リング３およびストッパー部材５間を摺動する距離分の行動範囲内でも作業を行うことができるようになる。
これによって、前記補助ロープ６が短く形成されていても、作業者の行動範囲を狭めることがないので、高所における作業性の低下を確実に防ぐことができる。
【００２７】
本実施の形態によれば、前記補助ロープ６は、前記主ロープ４の長さよりも短く形成されているので、例えばこれら主ロープおよび補助ロープが双方ともに長い場合に比して、安全帯１自体の軽量化を図ることもできるとともに、前記主ロープ４に対して絡みにくくなり、高所作業中の作業者への負担を軽減することができる。
しかも、前記主ロープ４の長さ方向の所定の位置にストッパー部材５が取り付けられていることから、前記補助ロープ６は、このストッパー部材５よりも先に移動することがなくなるので、前記リング３から第２フック６ａまでの距離を短くすることができる。これによって、この補助ロープ６の第２フック６ａを親綱や横パイプ等に引っ掛けておくことによって、作業者が万一足を踏み外した際の落下距離も短くすることができるので、作業者の体に加わる衝撃をより小さくでき、高所作業中の安全性を向上させることが可能となる。
【図面の簡単な説明】
【００２８】
【図１】本発明の安全帯を示す正面図である。
【図２】ストッパー部材を示す斜視図である。
【符号の説明】
【００２９】
１  安全帯
２  胴ベルト
３  リング
４  主ロープ
４ａ  第１フック
５  ストッパー部材
６  補助ロープ
６ａ  第２フック
【図１】
2009142425.tif 000003
【図２】
2009142425.tif 000004